(57)【要約】      （修正有）【課題】一般のユーザであっても、簡易な作業で無線品質の管理が可能になる無線品質管理システムを提供する。【解決手段】部屋２０において、無線品質管理システム１は、制御装置Ａ４０と端末装置６０とを備える。制御装置Ａ４０は、複数の機器Ａ５０ｓ〜Ａ５０ｘと無線通信する機器通信手段と、複数の機器の各々との間の無線品質を取得する無線品質取得手段と、端末装置と通信する端末通信手段とを備える。端末装置６０は、制御装置と通信する通信部と、制御装置と複数の機器の各々との間の無線品質を取得する無線品質取得部置と、複数の機器の各々の位置情報を取得する位置情報取得部と、複数の機器の各々の位置情報と無線品質を対応づけたリストを生成するリスト生成部とを備える。端末装置は、生成したリストに基づいた品質画面を表示部に表示する。【選択図】図２
2019033355.tif 000002
【特許請求の範囲】
【請求項１】
制御装置と、端末装置と、を備え、
前記制御装置は、
複数の機器と無線通信する機器通信手段と、
前記複数の機器の各々との間の無線品質を取得する無線品質取得手段と、
前記端末装置と通信する端末通信手段と、を備え、
前記端末装置は、
前記制御装置と通信する通信手段と、
前記制御装置から前記複数の機器の各々に対応する無線品質を取得する無線品質取得手段と、
前記複数の機器の各々の位置情報を取得する位置情報取得手段と、
前記複数の機器の各々について、前記位置情報と前記無線品質を対応付けたリストを生成するリスト生成手段と、を備える、無線品質管理システム。
【請求項２】
前記端末装置は、前記リストに基づいた無線品質画面を表示部に表示する無線品質画面表示手段をさらに備える、請求項１に記載の無線品質管理システム。
【請求項３】
前記無線品質画面表示手段は、前記無線品質画面に、前記複数の機器が設置されるエリアを示す図と、前記図の上に前記複数の機器に対応する複数のマークを表示し、前記複数の機器の各々に対応する無線品質を、各マークとの対応関係が判別可能なように予め定めた態様で表示する、請求項２に記載の無線品質管理システム。
【請求項４】
前記無線品質画面表示手段は、前記無線品質画面に、前記複数の機器の各々に対応する無線品質を、対応する各マークの上に予め定めた態様で表示する、請求項３に記載の無線品質管理システム。
【請求項５】
前記無線品質画面表示手段は、前記無線品質画面に、前記複数の機器の各々に対応する無線品質に基づいて生成した無線品質分布を表示する、請求項３に記載の無線品質管理システム。
【請求項６】
前記端末装置は、予め定めた第１基準より低い無線品質に対応する１又は複数の機器についての情報を、品質不良機器の情報としてユーザに通知する品質不良通知手段をさらに備える、請求項１から５の何れか１項に記載の無線品質管理システム。
【請求項７】
前記端末装置は、
予め定めた第２基準より高い無線品質に対応する１又は複数の機器の内から前記制御装置と前記品質不良機器との間の無線通信を中継する中継局を決定する中継局決定手段と、
前記制御装置を介して、前記中継局に決定した機器に対して中継局機能の設定を指令する設定指令手段と、をさらに備える、請求項６に記載の無線品質管理システム。
【請求項８】
前記中継局決定手段は、
前記第２基準より高い無線品質に対応する１又は複数の機器についての情報を、前記中継局の候補となる候補機器の情報としてユーザに通知し、１つの候補機器の選択をユーザから受け付ける選択受付手段と、
ユーザが選択した候補機器からの電波到達範囲に位置する１又は複数の機器についての情報をユーザに通知し、当該候補機器を前記中継局として許可するか否かをユーザから受け付ける許可受付手段と、備え、
前記設定指令手段は、ユーザが当該候補機器を前記中継局として許可した場合、前記制御装置を介して、当該候補機器に対して前記中継局機能の設定を指令する、請求項７に記載の無線品質管理システム。
【請求項９】
前記制御装置には、第１制御装置と第２制御装置が含まれ、
前記第１制御装置の前記機器通信手段は、複数の機器で構成される第１機器群と無線通信し、前記第２制御装置の前記機器通信手段は、前記第１機器群とは異なる複数の機器で構成される第２機器群と無線通信し、
前記端末装置において、
前記無線品質取得手段は、前記第１制御装置から前記第１機器群を構成する各機器に対応する無線品質を取得し、前記第２制御装置から前記第２機器群を構成する各機器に対応する無線品質を取得し、
前記位置情報取得手段は、前記第１機器群を構成する各機器の位置情報と、前記第２機器群を構成する各機器の位置情報を取得し、
前記リスト生成手段は、前記第１機器群を構成する各機器について、前記位置情報と、前記無線品質と、前記第２制御装置と通信した場合に推定される無線品質とを対応付けた第１リストと、前記第２機器群を構成する各機器について、前記位置情報と、前記無線品質と、前記第１制御装置と通信した場合に推定される無線品質とを対応付けた第２リストとを生成する、請求項１に記載の無線品質管理システム。
【請求項１０】
複数の機器と無線通信可能に接続される制御装置と通信する通信手段と、
前記制御装置から、前記制御装置と前記複数の機器の各々との間の無線品質を取得する無線品質取得手段と、
前記複数の機器の各々の位置情報を取得する位置情報取得手段と、
前記複数の機器の各々について、前記位置情報と前記無線品質を対応付けたリストを生成するリスト生成手段と、を備える、端末装置。
【請求項１１】
制御装置が、無線通信可能に接続される複数の機器の各々との間の無線品質を取得し、
端末装置が、前記制御装置から前記複数の機器の各々に対応する無線品質を取得し、
前記端末装置が、前記複数の機器の各々の位置情報を取得し、
前記端末装置が、前記複数の機器の各々について、前記位置情報と前記無線品質を対応付けたリストを生成する、無線品質管理方法。
【請求項１２】
コンピュータを、
複数の機器と無線通信可能に接続される制御装置から、前記制御装置と前記複数の機器の各々との間の無線品質を取得する無線品質取得手段、
前記複数の機器の各々の位置情報を取得する位置情報取得手段、
前記複数の機器の各々について、前記位置情報と前記無線品質を対応付けたリストを生成するリスト生成手段、として機能させるためのプログラム。
【発明の詳細な説明】
【技術分野】
【０００１】
本発明は、無線品質管理システム、端末装置、無線品質管理方法及びプログラムに関する。
【背景技術】
【０００２】
無線ＬＡＮ（Local Area Network）をビルや倉庫等の施設に導入する場合、事前に施設内の電波環境を調査する手法として、サイトサーベイ（Site Survey）が知られている（例えば、特許文献１）。
【先行技術文献】
【特許文献】
【０００３】
【特許文献１】特開２０１５−５３７２６号公報
【発明の概要】
【発明が解決しようとする課題】
【０００４】
サイトサーベイは一般に、無線ＬＡＮの施工前に行うが、施工後に、什器の移動や湿度の変化等により、電波環境が変動してしまうと、制御装置等の親局と一部の機器との通信品質が悪化し、当該機器を制御できないという不具合が発生してしまうこともある。この場合、再度、サイトサーベイを実施し、当該不具合の対策を講じる必要がある。
【０００５】
サイトサーベイでは、作業者は、無線品質の取得のため、施設内を歩行して、各所で電波の受信強度を測定する等の作業が必要となる。このため、作業負担が大きく、また、作業完了までの時間が長くかかる。さらに、不具合原因の特定及びその対応においては、無線ＬＡＮに関する専門知識が豊富であることが求められており、一般のユーザでは当該作業を行うことが困難である。それ故、専門の業者に委託せざるを得ず、費用もかかり、また、不具合の発生から解決までに長い時間がかかってしまうという問題がある。
【０００６】
本発明は、上記問題を解決するためになされたものであり、専門知識を要することなく簡易な作業で無線品質の管理が可能になる無線品質管理システム等を提供することを目的とする。
【課題を解決するための手段】
【０００７】
上記目的を達成するため、本発明に係る無線品質管理システムは、
制御装置と、端末装置と、を備え、
前記制御装置は、
複数の機器と無線通信する機器通信手段と、
前記複数の機器の各々との間の無線品質を取得する無線品質取得手段と、
前記端末装置と通信する端末通信手段と、を備え、
前記端末装置は、
前記制御装置と通信する通信手段と、
前記制御装置から前記複数の機器の各々に対応する無線品質を取得する無線品質取得手段と、
前記複数の機器の各々の位置情報を取得する位置情報取得手段と、
前記複数の機器の各々について、前記位置情報と前記無線品質を対応付けたリストを生成するリスト生成手段と、を備える。
【発明の効果】
【０００８】
本発明によれば、専門知識を有さない一般のユーザであっても、簡易な作業で無線品質の管理が可能になる。
【図面の簡単な説明】
【０００９】
【図１】本発明の実施の形態１に係る無線品質管理システムが導入された部屋の平面図
【図２】実施の形態１に係る無線品質管理システムが導入された部屋の側面図
【図３】実施の形態１に係る制御装置の構成を示すブロック図
【図４】実施の形態１に係る機器の構成を示すブロック図
【図５】実施の形態１に係る端末装置の構成を示すブロック図
【図６】実施の形態１に係る端末装置が備える制御部の機能構成を示す図
【図７】実施の形態１に係る端末装置が生成する無線品質リストの一例を示す図
【図８】実施の形態１において、無線品質画面の一例を示す図
【図９】実施の形態１において、品質不良通知画面の一例を示す図
【図１０】実施の形態１において、中継局決定部の構成を示す図
【図１１】実施の形態１において、選択受付画面の一例を示す図
【図１２】実施の形態１において、許可受付画面の一例を示す図
【図１３】実施の形態１の無線品質管理処理の手順を示すフローチャート（その１）
【図１４】実施の形態１の無線品質管理処理の手順を示すフローチャート（その２）
【図１５】本発明の実施の形態２に係る無線品質管理システムが導入された２つの部屋の平面図
【図１６】実施の形態２に係る端末装置が生成する無線品質リストの一例を示す図
【図１７】実施の形態２において、図１６の無線品質リストに、推定された無線品質が追加された例を示す図
【図１８】実施の形態２において、統合無線品質画面の一例を示す図
【発明を実施するための形態】
【００１０】
以下、本発明の実施の形態について図面を参照して詳細に説明する。
【００１１】
（実施の形態１）
図１及び図２に、実施の形態１に係る無線品質管理システム１の構成を示す。図１は、無線品質管理システム１が導入された部屋２０の平面図であり、図２は、図１の部屋２０を矢印Ａ方向からみた場合の側面図である。
【００１２】
図１及び図２に示すように、無線品質管理システム１は、制御装置Ａ４０と、複数の機器Ａ５０ａ〜Ａ５０ｘと、端末装置６０と、を備える。本実施の形態では、複数の機器Ａ５０ａ〜Ａ５０ｘは、照明器具であり、制御装置Ａ４０と複数の機器Ａ５０ａ〜Ａ５０ｘとにより、ビル、工場等の施設における部屋２０の照明を行う照明システムが構成されている。
【００１３】
図１及び図２に示すように、複数の機器Ａ５０ａ〜Ａ５０ｘは、部屋２０の天井面に予め定めた間隔で格子状に配置され、それぞれ、制御装置Ａ４０と無線通信可能に接続される。なお、本実施の形態では、部屋２０が、ビル、工場等の施設における空間である場合を想定しているが、これに限定されるものではなく、照明を要する空間であれば、どのような空間であってもよい。
【００１４】
制御装置Ａ４０は、例えば、天井面に配置されたり、部屋２０の壁面に取り付けられ、機器Ａ５０を無線通信により制御するコントローラである。制御装置Ａ４０は、図３に示すように、送受信アンテナＡ４１と、無線通信部Ａ４２と、制御部Ａ４３と、記憶部Ａ４４と、外部通信部Ａ４５と、を備える。無線通信部Ａ４２は、本発明に係る機器通信手段の一例であり、各機器Ａ５０と予め定めた無線通信方式に則ってデータ通信を行うための無線通信インタフェースである。
【００１５】
制御部Ａ４３は、ＣＰＵ（Central Processing Unit）、ＲＯＭ（Read Only Memory）、ＲＡＭ（Random Access Memory）等を含み、各機器Ａ５０の動作制御、即ち、照明制御を行うと共に、後述する無線品質管理に係る処理を行う。記憶部Ａ４４は、ＥＥＰＲＯＭ（Electrically Erasable Programmable Read-Only Memory）、フラッシュメモリ等の読み書き可能な不揮発性の半導体メモリで構成され、照明制御に係るプログラム及びデータと、無線品質管理に係るプログラム及びデータを記憶する。
【００１６】
外部通信部Ａ４５は、本発明に係る端末通信手段の一例であり、端末装置６０と予め定めた通信方式で有線又は無線通信するための通信インタフェースである。
【００１７】
各機器Ａ５０は、制御装置Ａ４０からの制御データに従い、ＬＥＤの調光、点消灯等を行うＬＥＤ照明器具である。各機器Ａ５０は、図４に示すように、送受信アンテナＡ５１と、無線通信部Ａ５２と、レベル測定部Ａ５３と、制御部Ａ５４と、インバータ制御部Ａ５５と、発光部Ａ５６と、を備える。
【００１８】
無線通信部Ａ５２は、制御装置Ａ４０と予め定めた無線通信方式に則ってデータ通信を行うための無線通信インタフェースである。レベル測定部Ａ５３は、本発明に係る無線品質取得手段の一例であり、無線通信部Ａ５２に接続され、受信したデータの受信レベルを測定し、測定結果を制御部Ａ５４に出力する。本実施の形態では、レベル測定部Ａ５３は、ＲＳＳＩ（Received Signal Strength Indicator）を測定する。制御部Ａ５４は、ＣＰＵ、ＲＯＭ、ＲＡＭ等を含み、制御装置Ａ４０からの制御データに従って、当該機器Ａ５０の動作制御を行う。
【００１９】
詳細には、制御装置Ａ４０から、照明に係る制御データを受信すると、制御部Ａ５４は、当該制御データの内容に従って、調光、点消灯等の制御信号をインバータ制御部Ａ５５に出力する。また、制御装置Ａ４０から、識別情報の要求を示す制御データを受信すると、制御部Ａ５４は、自機器の識別情報と、当該制御データの受信レベルが格納された応答データを無線通信部Ａ５２を介して制御装置Ａ４０に送信する。
【００２０】
さらに、制御装置Ａ４０から、中継局機能の設定を要求する制御データを受信すると、制御部Ａ５４は、自機器に中継局機能を設定する。中継局機能とは、制御装置Ａ４０と他の機器Ａ５０との間のデータのやり取りを中継する機能をいう。
【００２１】
インバータ制御部Ａ５５は、制御部Ａ５４からの制御信号に従い、発光部Ａ５６の調光、点消灯等を制御する。発光部Ａ５６は、インバータ制御部Ａ５５の制御により、ＬＥＤの調光、点消灯等を行う。
【００２２】
端末装置６０は、無線品質管理システム１を管理する上で必要となる情報をユーザに提示するための携帯機器であり、例えば、ノート型のパーソナルコンピュータ、タブレット型端末、スマートフォンなどである。端末装置６０は、図５に示すように、通信部６１と、カメラ６２と、制御部６３と、記憶部６４と、表示部６５と、操作受付部６６と、を備える。
【００２３】
通信部６１は、本発明に係る通信手段の一例であり、制御装置Ａ４０と予め定めた通信方式で有線又は無線通信するための通信インタフェースである。カメラ６２は、ＣＣＤ（Charge-Coupled Device）、ＣＭＯＳ（Complementary Metal Oxide Semiconductor）等のイメージセンサを備える。カメラ６２は、制御部６３の制御に従って撮像を行い、撮像した画像データを制御部６３に出力する。
【００２４】
制御部６３は、ＣＰＵ、ＲＯＭ、ＲＡＭ等を含み、端末装置６０を統括的に制御する。記憶部６４は、ＥＥＰＲＯＭ若しくはフラッシュメモリ等の読み書き可能な不揮発性の半導体メモリ又はＨＤＤ（Hard Disk Drive）等を含んで構成される。記憶部６４は、無線品質管理に係るプログラムと、このプログラムの実行時に使用されるデータを記憶する。
【００２５】
表示部６５は、液晶ディスプレイ又は有機ＥＬディスプレイ等の表示デバイスを含んで構成される。表示部６５は、制御部６３の制御の下、ユーザ操作に応じた各種の画面等を表示する。操作受付部６６は、押しボタン、キーボード、マウス、キーパッド、タッチパネル又はタッチパッド等の１つ以上の入力デバイスを含んで構成され、ユーザからの操作入力を受け付け、受け付けた操作に係る信号を制御部６３に送出する。
【００２６】
制御部６３は、機能的には、図６に示すように、無線品質取得部６３０と、位置情報取得部６３１と、リスト生成部６３２と、無線品質画面表示部６３３と、品質不良通知部６３４と、中継局決定部６３５と、設定指令部６３６と、を備える。これらの機能部は制御部６３が備えるＣＰＵが、記憶部６４に記憶されている上述した無線品質管理に係るプログラムを実行することで実現される。
【００２７】
無線品質取得部６３０は、本発明に係る無線品質取得手段の一例であり、制御装置Ａ４０との通信により、各機器Ａ５０について、識別情報と無線品質を取得する。識別情報とは、各機器Ａ５０と個別に通信する際に必要となる情報であり、例えば、ＭＡＣ（Media Access Control）アドレス、ＩＰ（Internet Protocol）アドレス等である。無線品質は、本実施の形態では、各機器Ａ５０により測定された受信レベル、即ち、ＲＳＳＩである。
【００２８】
制御装置Ａ４０は、無線品質取得部６３０から、無線品質送信の要求を受けると、全機器Ａ５０に対して、識別情報の要求を示す制御データを同報通信する。各機器Ａ５０は、かかる制御データを受けると、自機器の識別情報と、測定した当該制御データの受信レベル、即ち、ＲＳＳＩが格納された応答データを制御装置Ａ４０に送信する。このようにして、制御装置Ａ４０は、各機器Ａ５０から、識別情報と無線品質（即ち、ＲＳＳＩ）を収集する。
【００２９】
位置情報取得部６３１は、本発明に係る位置情報取得手段の一例であり、各機器Ａ５０の位置情報を取得する。詳細には、位置情報取得部６３１は、制御装置Ａ４０に対して機器Ａ５０の識別情報を指定して、各機器Ａ５０を順次、点消灯させる。その際に、位置情報取得部６３１は、カメラ６２により撮像された天上面の画像データを解析して、点消灯を検出することで、当該機器Ａ５０、即ち、点消灯した機器Ａ５０の天上面における位置を特定する。
【００３０】
位置情報取得部６３１は、特定した位置を、記憶部６４に記憶されている部屋２０を示す図面データの座標系に変換することで、当該機器Ａ５０の位置情報を取得する。位置情報取得部６３１は、取得した各機器Ａ５０の位置情報をそれぞれの識別情報と対応付けてＲＡＭに保存する。
【００３１】
また、位置情報取得部６３１は、制御装置Ａ４０の位置情報を取得する。詳細には、位置情報取得部６３１は、制御装置Ａ４０に対して、制御装置Ａ４０が備える図示しないＬＥＤ表示器の点消灯を要求する。かかる要求を受けると、制御装置Ａ４０は、当該ＬＥＤ表示器を点消灯させる。その際に、位置情報取得部６３１は、カメラ６２により撮像された天上面の画像データを解析して、点消灯を検出することで、制御装置Ａ４０の天上面における位置を特定する。位置情報取得部６３１は、特定した制御装置Ａ４０の位置を、記憶部６４に記憶されている部屋２０を示す図面データの座標系に変換することで、制御装置Ａ４０の位置情報を取得する。
【００３２】
リスト生成部６３２は、本発明に係るリスト生成手段の一例であり、各機器Ａ５０について、取得した識別情報と位置情報と無線品質を対応付けた無線品質リストを生成する。リスト生成部６３２により生成される無線品質リストの例を図７に示す。
【００３３】
無線品質画面表示部６３３は、本発明に係る無線品質画面表示手段の一例であり、リスト生成部６３２により生成された無線品質リストに基づいた無線品質画面（図８参照）を表示部６５に表示する。詳細には、図８に示すように、無線品質画面表示部６３３は、上述した記憶部６４に記憶されている部屋２０を示す図面データに基づく平面図６ａ上に、各機器Ａ５０の位置情報に基づいて各機器Ａ５０を示す複数のマーク６ｂと、制御装置Ａ４０の位置情報に基づいて制御装置Ａ４０を示すマーク６ｃをマッピングして表示する。また、無線品質画面表示部６３３は、各機器Ａ５０に対応する無線品質に基づいて生成した無線品質分布６ｄを平面図６ａ上にマッピングして表示する。
【００３４】
無線品質分布６ｄは、部屋２０において、天井面と同一平面上の各地点における無線品質（即ち、ＲＳＳＩ）の分布を示している。無線品質分布６ｄには、無線品質を任意に段階分けした段階毎に異なる色が割り当てられている。無線品質画面表示部６３３は、平面図６ａ上の全体に無線品質分布６ｄが表示されるように、各機器Ａ５０の位置情報と無線品質の測定結果とを用いて、機器Ａ５０の設置箇所以外の地点における無線品質を推定して無線品質分布６ｄを生成する。
【００３５】
図６に戻り、品質不良通知部６３４は、本発明に係る品質不良通知手段の一例であり、予め定めた第１基準より低い無線品質に対応する機器Ａ５０がある場合、当該機器Ａ５０についての情報を、品質不良機器の情報としてユーザに通知する。詳細には、品質不良通知部６３４は、図９に示すような品質不良通知画面を表示部６５に表示する。品質不良通知画面では、図８に示すような無線品質画面において、品質不良機器に対応するマーク６ｂ上に警告マーク６ｅが表示される。これにより、ユーザは、品質不良機器、即ち、制御装置Ａ４０との間の無線品質が上記の第１基準より低い機器Ａ５０を即座に認識することができる。
【００３６】
図６に戻り、中継局決定部６３５は、本発明に係る中継局決定手段の一例であり、制御装置Ａ４０と品質不良機器との間の無線通信を中継する中継局を予め定めた第２基準より高い無線品質に対応する１又は複数の機器Ａ５０の内から決定する。詳細には、中継局決定部６３５は、図１０に示すように、選択受付部６３５０と、許可受付部６３５１と、を備える。選択受付部６３５０は、本発明に係る選択受付手段の一例であり、上記の第２基準より高い無線品質に対応する機器Ａ５０がある場合、当該機器Ａ５０についての情報を、中継局の候補となる候補機器の情報としてユーザに通知し、１つの候補機器の選択をユーザから受け付ける。
【００３７】
詳細には、選択受付部６３５０は、図１１に示す選択受付画面を表示部６５に表示する。選択受付画面では、品質不良機器に対応するマーク６ｂ上に警告マーク６ｅが表示されると共に、候補機器に対応するマーク６ｂが予め定めた態様で強調表示される。選択受付部６３５０は、例えば、該当するマーク６ｂの背景色を特定の色（例えば、青）で表示する。あるいは、選択受付部６３５０は、該当するマーク６ｂを点滅表示させてもよい。これにより、ユーザは、候補機器、即ち、中継局の候補となる機器Ａ５０を即座に認識することができる。
【００３８】
また、選択受付画面において、候補機器に対応する各マーク６ｂは、ユーザによる操作受付部６６を介した選択操作が可能なアイコンとして表示される。ユーザは、中継局に設定したい候補機器がある場合、当該候補機器に対応するマーク６ｂを選択して押下操作すればよい。
【００３９】
許可受付部６３５１は、本発明に係る許可受付手段の一例であり、ユーザが選択した候補機器からの電波到達範囲に位置する１又は複数の機器Ａ５０についての情報をユーザに通知し、当該候補機器を中継局として許可するか否かをユーザから受け付ける。詳細には、許可受付部６３５１は、図１２に示す許可受付画面を表示部６５に表示する。許可受付画面では、ユーザが選択した候補機器からの電波到達範囲がユーザに判別可能となるように表示される。
【００４０】
許可受付部６３５１は、当該候補機器、即ち、機器Ａ５０の無線通信インタフェースのスペックと、当該候補機器の位置情報に基づいて当該候補機器からの電波到達範囲を算出する。機器Ａ５０の無線通信インタフェースのスペックは、ユーザによる操作受付部６６を介した入力により、あるいは、制御装置Ａ４０との通信により取得され、端末装置６０の記憶部６４に予め保存されているものとする。
【００４１】
これにより、ユーザは、選択した中継局の候補機器からの電波到達範囲に、品質不良機器が入るか否かを即座に認識することができる。
【００４２】
また、許可受付画面には、選択した候補機器を中継局として許可するか否かをユーザから受け付けるための「はい」及び「いいえ」ボタンが設けられている。ユーザは、当該候補機器を中継局として許可する場合、「はい」ボタンを押下操作する。一方、許可しない場合は、「いいえ」ボタンを押下操作する。「はい」ボタンが押下されると、許可受付部６３５１は、中継局が決定されたことを設定指令部６３６に通知する。一方、「いいえ」ボタンが押下されると、許可受付部６３５１は、選択受付部６３５０に、選択受付画面の再表示を要求する。これにより、図１１の選択受付画面が再度表示される。
【００４３】
図６に戻り、設定指令部６３６は、本発明に係る設定指令手段の一例であり、中継局として決定された機器Ａ５０に対して中継局機能の設定を制御装置Ａ４０を介して指令する。詳細には、設定指令部６３６は、中継局として決定された機器Ａ５０の識別情報を制御装置Ａ４０に通知して、当該機器Ａ５０に対する中継局機能の設定指令を要求する。かかる要求を受けると制御装置Ａ４０は、当該機器Ａ５０に対して、中継局機能の設定を指令する制御データを送信する。この制御データを受信した機器Ａ５０の制御部Ａ５４は、自機器に中継局機能を設定する。
【００４４】
中継局機能を設定した機器Ａ５０（以下、中継局機器という。）は、制御装置Ａ４０からユニキャスト送信された制御データであって、宛先が自機器ではない制御データを受信すると、当該制御データを宛先の機器Ａ５０へ送信する。また、制御装置Ａ４０からブロードキャスト送信された制御データを受信すると、中継局機器は、当該制御データに従った処理を実行すると共に、当該制御データをブロードキャスト送信する。
【００４５】
あるいは、制御装置Ａ４０からの中継局機能の設定を指令する制御データにおいて、中継先の１又は複数の機器Ａ５０が指定されている場合には、中継局機器は、制御装置Ａ４０からブロードキャスト送信された制御データを受信すると、当該制御データに従った処理を実行すると共に、当該制御データを当該中継先の１又は複数の機器Ａ５０にユニキャスト送信してもよい。
【００４６】
また、中継局機器は、他の機器Ａ５０から制御装置Ａ４０宛ての送信データを受信すると、当該送信データを制御装置Ａ４０に送信する。
【００４７】
続いて、以上のように構成された無線品質管理システム１の動作について説明する。
【００４８】
図１３及び１４は、無線品質管理システム１によって実行される無線品質管理処理の手順を示すフローチャートである。この無線品質管理処理は、ユーザにより、端末装置６０の操作受付部６６を介して、無線品質の測定を開始する操作（以下、測定開始操作という。）が行われることで開始される。
【００４９】
端末装置６０は、制御装置Ａ４０に対して無線品質の送信を要求する（ステップＳ１０１）。かかる要求を受けると、制御装置Ａ４０は、全機器Ａ５０に対して、識別情報の要求を示す制御データを同報通信して、各機器Ａ５０から識別情報及び無線品質を収集する（ステップＳ１０２）。
【００５０】
制御装置Ａ４０は、収集した各機器Ａ５０の識別情報と無線品質を端末装置６０に送信する（ステップＳ１０３）。端末装置６０は、上述したようにして各機器Ａ５０の位置情報を取得する（ステップＳ１０４）。そして、端末装置６０は、各機器Ａ５０について、取得した識別情報と位置情報と無線品質を対応付けた無線品質リスト（図７参照）を生成する（ステップＳ１０５）。
【００５１】
第１基準より低い無線品質に対応する機器Ａ５０がない場合、即ち、品質不良機器がない場合（ステップＳ１０６；ＮＯ）、端末装置６０は、通常の無線品質画面（図８参照）を生成し、表示部６５に表示する（ステップＳ１０７）。一方、品質不良機器がある場合（ステップＳ１０６；ＹＥＳ）、図１４のステップＳ２０１に移行する。
【００５２】
ステップＳ１０７の後、ユーザにより測定開始操作が行われると（ステップＳ１０８；ＹＥＳ）、ステップＳ１０１に戻り、端末装置６０は、制御装置Ａ４０に対して無線品質の送信を要求する。あるいは、ユーザにより操作受付部６６を介して無線品質管理処理の終了操作が行われると（ステップＳ１０８；ＮＯ、ステップＳ１０９；ＹＥＳ）、端末装置６０は、無線品質管理処理を終了する。
【００５３】
図１４のステップＳ２０１では、端末装置６０は、第２基準より高い無線品質に対応する機器Ａ５０、即ち、中継局の候補機器があるか否かを判別する。その結果、候補機器がない場合（ステップＳ２０１；ＮＯ）、端末装置６０は、品質不良通知画面（図９参照）を表示部６５に表示する（ステップＳ２０２）。その後、図１３のステップＳ１０８に移行する。
【００５４】
一方、候補機器がある場合（ステップＳ２０１；ＹＥＳ）、端末装置６０は、選択受付画面（図１１参照）を表示部６５に表示する（ステップＳ２０３）。操作受付部６６を介してユーザにより何れかの候補機器が選択されると、端末装置６０は、許可受付画面（図１２参照）を表示部６５に表示する（ステップＳ２０４）。
【００５５】
操作受付部６６を介してユーザにより許可操作、即ち、「はい」ボタンが押下操作された場合（ステップＳ２０５；ＹＥＳ、ステップＳ２０６；ＹＥＳ）、端末装置６０は、当該候補機器、即ち、中継局として決定された機器Ａ５０に対する中継局機能の設定指令を制御装置Ａ４０に要求する（ステップＳ２０７）。かかる要求を受けた制御装置Ａ４０は、当該候補機器に対して、中継局機能の設定指令を示す制御データを送信する（ステップＳ２０８）。
【００５６】
ステップＳ２０８の後、図１３のステップＳ１０１に戻り、端末装置６０は、制御装置Ａ４０に対して無線品質の送信を要求する。そして、制御装置Ａ４０は、全機器Ａ５０に対して、識別情報の要求を示す制御データを同報通信して、各機器Ａ５０から識別情報と無線品質を収集する（ステップＳ１０２）。このとき、各機器Ａ５０は、当該制御データを制御装置Ａ４０からのみならず、他の機器Ａ５０、即ち、中継局機器からも受信した場合には、双方の制御データの受信レベルを比較し、より高い方の受信レベルを自身の識別情報と共に応答データとして制御装置Ａ４０に対して送信する。
【００５７】
このため、中継局機器の電波到達範囲に位置する品質不良機器と制御装置Ａ４０との間の無線品質が向上し（少なくとも第１基準より高くなり）、以降のステップＳ１０６において、当該品質不良機器は、無線品質が正常な機器Ａ５０として扱われることになる。
【００５８】
図１４に戻り、操作受付部６６を介してユーザにより不許可操作、即ち、「いいえ」ボタンが押下操作された場合（ステップＳ２０５；ＹＥＳ、ステップＳ２０６；ＮＯ）、ステップＳ２０３に戻り、端末装置６０は、再度、選択受付画面（図１１参照）を表示する。なお、図１４のフローチャートには図示していないが、端末装置６０は、図１１に示す選択受付画面と図１２に示す許可受付画面の表示中において、ユーザから終了操作が行われると、無線品質管理処理を終了する。
【００５９】
以上説明したように、本実施の形態の無線品質管理システム１によれば、端末装置６０は、各機器Ａ５０を制御する制御装置Ａ４０から、各機器Ａ５０における識別情報と無線品質を取得する。また、端末装置６０は、制御装置Ａ４０と各機器Ａ５０の位置情報を取得する。そして、端末装置６０は、各機器Ａ５０について、取得した識別情報と位置情報と無線品質を対応付けた無線品質リスト（図７参照）を生成する。かかる無線品質リストにより、専門知識を持たない一般のユーザでも、どこに配置されたどの機器Ａ５０に無線通信不具合が発生しているか否かを即座に特定することができる。
【００６０】
また、端末装置６０は、例えば、図８の無線品質画面のように、無線品質リストを用いて、予め記憶された部屋２０の図面データに基づく平面図６ａ上に、各機器Ａ５０を示すマーク６ｂをマッピングして表示し、各機器Ａ５０に対応する無線品質に基づいて生成した無線品質分布６ｄを平面図６ａ上にマッピングして表示する。無線品質分布６ｄには、無線品質の段階毎に異なる色が割り当てられている。これにより、ユーザは、無線品質の測定結果を視覚的に容易に把握できるため、専門知識を持たない一般のユーザでも、どこに配置されたどの機器Ａ５０に無線通信不具合が発生しているか否かを即座に特定することができる。
【００６１】
また、端末装置６０は、無線品質リストにおいて、予め定めた第１基準より低い無線品質に対応する機器Ａ５０がある場合、当該機器Ａ５０についての情報を、品質不良機器の情報としてユーザに通知する（例えば、図９の品質不良通知画面）。これにより、ユーザは、品質不良機器、即ち、制御装置Ａ４０との間の無線品質が上記の第１基準より低い機器Ａ５０を即座に認識することができる。
【００６２】
また、端末装置６０は、選択受付画面（図１１参照）において、無線品質が第２基準を上回る機器Ａ５０、即ち、中継局として推奨できる機器Ａ５０をユーザに通知すると共に、当該機器Ａ５０の中から中継局を設定するようユーザに促す。これにより、ユーザはどの機器Ａ５０を中継局として設定すれば無線通信不具合の対策となるか判断できるため、専門知識を持たない一般のユーザでも、無線通信不具合に対する対策を講じることができる。
【００６３】
また、端末装置６０は、許可受付画面（図１２参照）において、ユーザが選択した候補機器からの電波到達範囲を表示する。これにより、ユーザは選択した候補機器を中継局として設定した場合に、無線通信不具合が解消され得る機器Ａ５０を容易に特定することができる。
【００６４】
なお、上記の実施の形態における各画面（無線品質画面、品質不良通知画面、選択受付画面、許可受付画面）において、無線品質を分布ではなく、対応する各マーク６ｂの上に予め定めた態様で表示するようにしてもよい。
【００６５】
また、上記の実施の形態では、部屋２０を示す図面データが、端末装置６０の記憶部６４に予め記憶されているものとしたが、当該図面データが、制御装置Ａ４０の記憶部Ａ４４又は図示しない外部のサーバの記憶部に記憶されていてもよい。この場合、端末装置６０は、制御装置Ａ４０又は上記サーバとの通信により当該図面データを取得する。
【００６６】
また、制御装置Ａ４０が表示部を備える場合では、端末装置６０により生成された無線品質画面（図８参照）、品質不良通知画面（図９参照）等が制御装置Ａ４０の表示部に表示されるようにしてもよい。
【００６７】
また、上記の実施の形態では、端末装置６０は、カメラ６２により撮像された天上面の画像データを解析することで、各機器Ａ５０の天上面における位置を特定したが、これに限定されるものではない。例えば、各機器Ａ５０が測定した無線品質を用いて、各機器Ａ５０と、制御装置Ａ４０との間の距離を算出し、算出した距離と、制御装置Ａ４０の設置位置（高さ方向も含む）とに基づいて、各機器Ａ５０の天上面における位置を特定してもよい。
【００６８】
また、上記の実施の形態では、端末装置６０は、カメラ６２により撮像された天上面の画像データを解析することで、制御装置Ａ４０の天上面における位置を特定したが、これに限定されるものではない。例えば、ユーザは、操作受付部６６を介した操作により、制御装置Ａ４０の位置情報を端末装置６０に直接入力してもよい。あるいは、制御装置Ａ４０の記憶部Ａ４４に、制御装置Ａ４０の位置情報が予め記憶されており、制御装置Ａ４０の制御部Ａ４３は、端末装置６０から、自装置の位置情報の要求を受けると、記憶部Ａ４４から読み出した位置情報を端末装置６０に送信するようにしてもよい。
【００６９】
また、品質不良通知部６３４は、品質不良機器の情報を、品質不良通知画面の表示のみならず、音声によってもユーザに通知してもよい。
【００７０】
また、上述した第１基準及び第２基準は、ユーザによる端末装置６０の操作受付部６６を介した操作により、任意の値に調整できるようにしてもよい。但し、例えば、第２基準を下げると、無線品質が低い機器Ａ５０を中継局としてユーザが設定できることになり、制御装置Ａ４０と中継局との間の通信が途絶える可能性がある。そのため、第２基準には、制御装置Ａ４０と中継局との間の通信が安定して行われるように、ユーザが調整可能な下限が予め設定されていることが望ましい。
【００７１】
また、端末装置６０が無線通信インタフェースを備える場合には、端末装置６０と各機器Ａ５０との間でデータの送受信が行われるようにしてもよい。
【００７２】
また、上記の実施の形態では、端末装置６０と、制御装置Ａ４０とが別体であったが、端末装置６０に、制御装置Ａ４０の構成が含まれるようにしてもよい。即ち、この場合、端末装置６０は、照明システムにおける各機器Ａ５０を制御する親局としても機能する。
【００７３】
（実施の形態２）
以下、本発明の実施の形態２について説明する。尚、実施の形態１と共通の構成又は動作例については説明を省略し、実施の形態１との差異についてのみ説明する。また、実施の形態１に共通又は相当する部分については同一符号を付す。
【００７４】
図１５は、本実施の形態の無線品質管理システム２が導入された空間（部屋３０及び部屋４０）の平面図である。図１５に示すように、本実施の形態の無線品質管理システム２は、制御装置Ａ４０と、制御装置Ｂ４０と、複数の機器Ａ５０ａ〜Ａ５０ｈ，Ｂ５０ａ〜Ｂ５０ｐと、端末装置６０と、を備える。制御装置Ａ４０は、本発明に係る第１制御装置の一例であり、制御装置Ｂ４０は、本発明に係る第２制御装置の一例である。
【００７５】
複数の機器Ａ５０ａ〜Ａ５０ｈ，Ｂ５０ａ〜Ｂ５０ｐは、照明器具であり、制御装置Ａ４０と複数の機器Ａ５０ａ〜Ａ５０ｈとにより、部屋３０の照明を行う照明システムが構成され、制御装置Ｂ４０と複数の機器Ｂ５０ａ〜Ｂ５０ｐとにより、部屋４０の照明を行う他の照明システムが構成されている。
【００７６】
複数の機器Ａ５０ａ〜Ａ５０ｈは、部屋３０の天井面に予め定めた間隔で格子状に配置され、制御装置Ａ４０は、部屋３０の天井面に配置されたり、部屋３０の壁面に取り付けられる。複数の機器Ａ５０ａ〜Ａ５０ｈの各々は、制御装置Ａ４０と無線通信可能に接続される。
【００７７】
また、複数の機器Ｂ５０ａ〜Ｂ５０ｐは、部屋４０の天井面に予め定めた間隔で格子状に配置され、制御装置Ｂ４０は、部屋４０の天井面に配置されたり、部屋４０の壁面に取り付けられる。複数の機器Ｂ５０ａ〜Ｂ５０ｐの各々は、制御装置Ｂ４０と無線通信可能に接続される。
【００７８】
本実施の形態では、無線品質管理システム２には、複数の照明システムが含まれている。ここで、制御装置Ａ４０及び制御装置Ｂ４０は、互いに異なる無線チャネルを使用して、それぞれ、各機器Ａ５０及び各機器Ｂ５０とそれぞれ無線通信する。このように、無線チャネルが異なるため、制御装置Ａ４０は、各機器Ｂ５０と直接通信することはできず、制御装置Ｂ４０は、各機器Ａ５０と直接通信することはできない。
【００７９】
次に、以上のように構成された無線品質管理システム２の動作について説明する。
【００８０】
端末装置６０は、先ず、部屋３０に設置された照明システムに対応する無線品質リストＡを生成する。即ち、端末装置６０は、制御装置Ａ４０に対して無線品質の送信を要求する。かかる要求を受けると、制御装置Ａ４０は、全機器Ａ５０に対して、識別情報の要求を示す制御データを同報通信して、各機器Ａ５０から識別情報及び無線品質を収集する。
【００８１】
制御装置Ａ４０は、収集した各機器Ａ５０の識別情報と無線品質を端末装置６０に送信する。端末装置６０は、制御装置Ａ４０及び各機器Ａ５０の位置情報を取得し、そして、各機器Ａ５０について、取得した識別情報と位置情報と無線品質を対応付けた無線品質リストＡを生成する。同様の手法により、端末装置６０は、部屋４０に設置された照明システムに対応する無線品質リストＢを生成する。図１６の（ａ）及び（ｂ）は、このようにして生成された無線品質リストＡ及びＢの一例である。無線品質リストＡは、本発明に係る第１リストの一例であり、無線品質リストＢは、本発明に係る第２リストの一例である。
【００８２】
続いて、端末装置６０は、無線品質リストＡにおける各機器Ａ５０の位置情報と、制御装置Ｂ４０の位置情報とに基づいて、各機器Ａ５０と制御装置Ｂ４０とが通信可能に接続された場合の無線品質、即ち、ＲＳＳＩを推定する。ここで、無線品質の推定方法に限定はなく、例えば、端末装置６０の記憶部６４に予め記憶された、距離と無線品質の関係式に、各機器Ａ５０と制御装置Ｂ４０の位置情報を代入することにより算出してもよい。端末装置６０は、各機器Ａ５０と制御装置Ｂ４０との間における推定した無線品質を無線品質リストＡに追加する。
【００８３】
同様に、端末装置６０は、無線品質リストＢにおける各機器Ｂ５０の位置情報と、制御装置Ａ４０の位置情報とに基づいて、各機器Ｂ５０と制御装置Ａ４０とが通信可能に接続された場合の無線品質を推定する。端末装置６０は、各機器Ｂ５０と制御装置Ａ４０との間における推定した無線品質を無線品質リストＢに追加する。
【００８４】
図１７の（ａ）及び（ｂ）は、このように推定された無線品質が追加された無線品質リストＡ及びＢの一例である。
【００８５】
続いて、端末装置６０は、無線品質リストＡにおいて、予め定めた第１基準より低い無線品質に対応する機器Ａ５０（即ち、品質不良機器）があり、当該機器Ａ５０の推定した無線品質、即ち、当該機器Ａ５０と制御装置Ｂ４０を通信可能に接続した場合における無線品質が第１基準以上である場合、当該機器Ａ５０についての情報をユーザに通知する。
【００８６】
同様に、端末装置６０は、無線品質リストＢにおいて、予め定めた第１基準より低い無線品質に対応する機器Ｂ５０（即ち、品質不良機器）があり、当該機器Ｂ５０の推定した無線品質、即ち、当該機器Ｂ５０と制御装置Ａ４０を通信可能に接続した場合における無線品質が第１基準以上である場合、当該機器Ｂ５０についての情報をユーザに通知する。
【００８７】
詳細には、端末装置６０は、実施の形態１と同様にして、制御装置Ａ４０の位置情報と、各機器Ａ５０における位置情報及び無線品質とに基づいて生成した部屋３０に対応する無線品質画面と、制御装置Ｂ４０の位置情報と、各機器Ｂ５０における位置情報及び無線品質とに基づいて生成した部屋４０に対応する無線品質画面とを含む統合無線品質画面を生成する。
【００８８】
そして、端末装置６０は、上記の統合無線品質画面において、上記の条件に該当する品質不良機器の設置箇所と、当該品質不良機器に対応する推定した無線品質の内容（即ち、ＲＳＳＩ値）を視認可能に表示する。図１８に、上記のようにして表示された統合無線品質画面の一例を示す。
【００８９】
なお、端末装置６０は、統合無線品質画面において、上記の条件に該当する品質不良機器のみならず、表示している全ての機器Ａ５０及び機器Ｂ５０について、推定した無線品質の内容を表示してもよいし、ユーザが任意に選択した機器Ａ５０又は機器Ｂ５０について、推定した無線品質の内容を表示してもよい。
【００９０】
また、推定した無線品質の内容は、数値に限らず、実際に測定された無線品質に比べ良好となるか否かが判るように表示すればよい。
【００９１】
このように、本実施の形態の無線品質管理システム２には、無線チャネルが異なる２つの照明システムが含まれており、端末装置６０は、各々の照明システムに対応する無線品質リストＡ及びＢを生成する。さらに、端末装置６０は、一方の照明システムにおける各機器Ａ５０が他方の照明システムにおける制御装置Ｂ４０に接続された場合の無線品質を推定し、推定結果を無線品質リストＡに追加する。同様に、各機器Ｂ５０が制御装置Ａ４０に接続された場合の無線品質を推定し、推定結果を無線品質リストＢに追加する。
【００９２】
そして、端末装置６０は、上記の無線品質リストＡ，Ｂと、制御装置Ａ４０，Ｂ４０の位置情報とに基づいて、上記の統合無線品質画面を生成してユーザに提示する。これにより、ユーザは、一方の照明システムにおける機器Ａ５０又はＢ５０を他方の照明システムにおける制御装置Ｂ４０又はＡ４０に接続変更することで無線通信不具合が解消されるか否かを容易に判別できるため、専門知識を持たない一般のユーザでも、無線通信不具合に対する対策を講じることができる。
【００９３】
なお、接続変更は、ユーザが手動で行ってもよいし、端末装置６０が、制御装置Ａ４０及びＢ４０に対して要求することで自動的に再接続されるようにしてもよい。後者において、例えば、接続変更対象が機器Ａ５０の場合、端末装置６０は、制御装置Ａ４０に対して、当該機器Ａ５０との接続解除を要求し、また、制御装置Ｂ５０に対して、当該機器Ａ５０との接続を要求する。
【００９４】
また、上記の実施の形態２では、無線品質管理システム２に、２つの照明システムが含まれていたが、３つ以上の照明システムが含まれていても構わない。
【００９５】
なお、本発明は、上記の各実施の形態に限定されず、本発明の要旨を逸脱しない範囲での種々の変更は勿論可能である。
【００９６】
例えば、本発明において、無線品質の管理対象となる複数の機器は、照明器具に限定されず、空調機器、監視カメラ、人感センサ、温度センサ、湿度センサ等であってもよい。さらに、全ての機器が、同一種類である必要はなく、複数の種類が混在していてもよい。
【００９７】
また、上記の実施の形態１では、機器Ａ５０ａ〜Ａ５０ｘのそれぞれが、制御装置Ａ４０との間の無線品質、即ち、ＲＳＳＩを測定したが、これに替えて、制御装置Ａ４０が、各機器Ａ５０との間の無線品質を測定してもよい。同様に、実施の形態２において、制御装置Ａ４０が各機器Ａ５０との間の無線品質を測定し、制御装置Ｂ４０が各機器Ｂ５０との間の無線品質を測定してもよい。
【００９８】
また、上記の各実施の形態では、無線品質として、ＲＳＳＩを例示したが、これに限定されず、例えば、ＳＮＲ（Signal to Noise Ratio）、ＬＱＩ（Link Quality Indicator）、ＢＥＲ（Bit Error Rate）等を無線品質として採用してもよい。
【００９９】
また、ユーザに提示する各画面（無線品質画面、品質不良通知画面、選択受付画面、許可受付画面、統合無線品質画面）において、必ずしも制御装置Ａ４０等の位置を示す必要はない。そのようにしても、ユーザは、無線品質の状態を容易に把握することができる。
【０１００】
上記の各実施の形態では、端末装置６０において、制御部６３のＣＰＵによって記憶部６４に記憶されている無線品質管理に係るプログラムが実行されることで、制御部６３の各機能部（図６、図１０参照）が実現された。
【０１０１】
しかし、上記の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【０１０２】
また、上記の無線品質管理に係るプログラムは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した無線品質管理に係るプログラムを汎用のコンピュータにインストールすることによって、当該コンピュータを上記の各実施の形態における端末装置６０として機能させることが可能である。
【０１０３】
また、上記の無線品質管理に係るプログラムをインターネット上の他のサーバが有するディスク装置等に格納しておき、当該サーバから端末装置６０に当該プログラムがダウンロードされるようにしてもよい。
【符号の説明】
【０１０４】
１  無線品質管理システム、６０  端末装置、６１  通信部、６２  カメラ、６３  制御部、６４  記憶部、６５  表示部、６６  操作受付部、６３０  無線品質取得部、６３１  位置情報取得部、６３２  リスト生成部、６３３  無線品質画面表示部、６３４  品質不良通知部、６３５  中継局決定部、６３６  設定指令部、６３５０  選択受付部、６３５１  許可受付部、Ａ４０  制御装置、Ａ４１，Ａ５１  送受信アンテナ、Ａ４２，Ａ５２  無線通信部、Ａ４３，Ａ５４  制御部、Ａ４４  記憶部、Ａ４５  外部通信部、Ａ５０ａ〜Ａ５０ｘ  機器、Ａ５３  レベル測定部、Ａ５５  インバータ制御部、Ａ５６  発光部
【図１】
2019033355.tif 000003
【図２】
2019033355.tif 000004
【図３】
2019033355.tif 000005
【図４】
2019033355.tif 000006
【図５】
2019033355.tif 000007
【図６】
2019033355.tif 000008
【図７】
2019033355.tif 000009
【図８】
2019033355.tif 000010
【図９】
2019033355.tif 000011
【図１０】
2019033355.tif 000012
【図１１】
2019033355.tif 000013
【図１２】
2019033355.tif 000014
【図１３】
2019033355.tif 000015
【図１４】
2019033355.tif 000016
【図１５】
2019033355.tif 000017
【図１６】
2019033355.tif 000018
【図１７】
2019033355.tif 000019
【図１８】
2019033355.tif 000020